(57)【要約】【課題】焦点距離検出部が検出した焦点距離情報と、被写体照度検出部が検出した被写体照度情報と、被写体動き検出部が検出した被写体動き検出情報と、撮像装置動き検出部が検出した撮像装置動き検出情報を用いて照明部の点灯を制御することにより、自動照明制御における点灯時の誤動作防止することができる撮像装置を提供する。【解決手段】照明制御部１２は、焦点距離検出部７が検出した焦点距離情報１０４と、被写体照度検出部８が検出した被写体照度情報１０５と、前記被写体動き検出部８が検出した被写体動き検出情報と、前記撮像装置動き検出部１０が検出した撮像装置動き検出情報１０７を用いて前記照明部１２の点灯を制御する照明制御手段を備えた。【選択図】図２
2010206434.tif 000002
【特許請求の範囲】
【請求項１】
被写体光を結像する光学レンズ部と、被写体光を撮像して映像情報として取り込む撮像部と、前記光学レンズ部と前記撮像部を制御する制御部と、前記光学レンズ部のレンズ位置情報より前記被写体までの焦点距離を検出する焦点距離検出部と、前記撮像部が取り込んだ映像情報より前記被写体の照度を検出する被写体照度検出部と、前記撮像部が取り込んだ映像情報より前記被写体の動きを検出する被写体動き検出部と、撮像装置の動きを検出する撮像装置動き検出部と、前記被写体を照射する照明部と、前記照明部を制御する照明制御部とを備え、この照明制御部は、前記焦点距離検出部が検出した焦点距離情報と、前記被写体照度検出部が検出した被写体照度情報と、前記被写体動き検出部が検出した被写体動き検出情報と、前記撮像装置動き検出部が検出した撮像装置動き検出情報を用いて前記照明部の点灯を制御する撮像装置。
【発明の詳細な説明】
【技術分野】
【０００１】
本発明は、たとえばビデオカメラやデジタルカメラのような撮像装置に関するものである。
【背景技術】
【０００２】
ビデオカメラやデジタルカメラなどの撮像装置には、被写体の状態により、自動的に照明を点灯、消灯する自動照明制御を備えるものがあった。このような従来の撮像装置の構成は、以下のような構成となっていた。
【０００３】
すなわち、被写体光を結像する光学レンズ部と、被写体光を撮像して映像情報として取り込む撮像部と、前記光学レンズ部と前記撮像部を制御する撮像制御部と、前記光学レンズ部のレンズ位置情報より前記被写体までの焦点距離を検出する焦点距離検出部と、前記撮像部が取り込んだ映像情報より前記被写体の照度を検出する被写体照度検出部と、前記被写体を照射する照明部と、前記照明部を制御する照明制御部とを備え、この照明制御部は、照明の点灯時には、被写体照度検出部から得られる被写体の照度情報を用いた点灯制御を行い、照明の消灯時には、被写体照度検出部から得られる被写体の照度情報と前記焦点距離検出部から得られる被写体との焦点距離情報とを用いて消灯制御を行う撮像装置があった。
【０００４】
このような照明制御を行うことによって、照明の影響を受けやすい接写状態において、照度が十分だと判定して、消灯してしまい、消灯後は、照度が足りないと判定して、また点灯してしまうような照明のハンチング対策を行うことができる撮像装置があった。
【特許文献１】特開平７−９９６０１号公報
【発明の開示】
【発明が解決しようとする課題】
【０００５】
前記従来例における課題は、自動照明制御において、照明点灯時に誤動作を起こしてしまうことがあった。
【０００６】
すなわち、上記従来例においては、被写体照度検出部が、被写体の照度を検出し、その被写体照度が不足していると判断した場合には、撮像装置の照明を点灯するようになっているので、特定の被写体を撮影中に、この被写体と撮像装置の間に、撮像部に入ってくる光を遮るように、被写体以外のもの、つまり非被写体が意図せず突然現れると、撮像装置の被写体照度検出部は、被写体照度が不足していると判断し、照明が自動点灯してしまうという、誤動作を起こしてしまうことがあった。
【０００７】
そこで本発明は、自動照明制御において、照明点灯時の誤動作防止することを目的とするものである。
【課題を解決するための手段】
【０００８】
そしてこの目的を達成するために本発明は、被写体光を結像する光学レンズ部と、被写体光を撮像して映像情報として取り込む撮像部と、前記光学レンズ部と前記撮像部を制御する制御部と、前記光学レンズ部のレンズ位置情報より前記被写体までの焦点距離を検出する焦点距離検出部と、前記撮像部が取り込んだ映像情報より前記被写体の照度を検出する被写体照度検出部と、前記撮像部が取り込んだ映像情報より前記被写体の動きを検出する被写体動き検出部と、撮像装置の動きを検出する撮像装置動き検出部と、前記被写体を照射する照明部と、前記照明部を制御する照明制御部とを備え、この照明制御部は、前記焦点距離検出部が検出した焦点距離情報と、前記被写体照度検出部が検出した被写体照度情報と、前記被写体動き検出部が検出した被写体動き検出情報と、前記撮像装置動き検出部が検出した撮像装置動き検出情報を用いて前記照明部の点灯を制御する照明制御手段を備え、これにより所期の目的を達成するものである。
【発明の効果】
【０００９】
以上のように本発明は、被写体光を結像する光学レンズ部と、被写体光を撮像して映像情報として取り込む撮像部と、前記光学レンズ部と前記撮像部を制御する制御部と、前記光学レンズ部のレンズ位置情報より前記被写体までの焦点距離を検出する焦点距離検出部と、前記撮像部が取り込んだ映像情報より前記被写体の照度を検出する被写体照度検出部と、前記撮像部が取り込んだ映像情報より前記被写体の動きを検出する被写体動き検出部と、撮像装置の動きを検出する撮像装置動き検出部と、前記被写体を照射する照明部と、前記照明部を制御する照明制御部とを備え、この照明制御部は、前記焦点距離検出部が検出した焦点距離情報と、前記被写体照度検出部が検出した被写体照度情報と、前記被写体動き検出部が検出した被写体動き検出情報と、前記撮像装置動き検出部が検出した撮像装置動き検出情報を用いて前記照明部の点灯を制御する照明制御手段を備えたものであるので、自動照明制御における照明点灯時の誤動作防止することができるものである。
【００１０】
すなわち本発明においては、撮りたい被写体を遮る非被写体を、映像情報の動き情報と、撮像装置の動き情報によって特定し、この特定された非被写体と撮像装置までの焦点距離情報と、非被写体に対する被写体照度により、照明の点灯を制御するため、その結果として、自動照明制御における照明点灯時の誤動作防止することができるものである。
【発明を実施するための最良の形態】
【００１１】
以下、本発明の一実施形態を、撮像装置の一例としてビデオカメラに適用した物を、図１〜図５を用いて説明する。
【００１２】
（実施の形態１）
図１において、１は光学レンズ部、２は照明部、３は表示部である。この図１で示したビデオカメラは、光学レンズ部１の前方にある被写体の周辺の明るさに応じて、この被写体方向を照射する照明部２が自動で点灯及び消灯を行うことにより、適正な露出を得ることができる。さらにこのビデオカメラは、表示部３などを使用して、適正な露出が得られた映像情報を表示する。図１に示したビデオカメラの詳細な構成を次の図２に用いて説明を行う。
【００１３】
図２において、４は光学レンズ部、５は撮像部、６は撮像制御部、７は焦点距離検出部、８は被写体照度検出部、９は映像動き検出部、１０は撮像装置動き検出部、１１は照明部、１２は照明制御部であり、ここで図２の光学レンズ部４、照明部１１は、それぞれ図１に示した光学レンズ部１、照明部２に一致する。
【００１４】
図２に示した構成において、光学レンズ４を通して結像された被写体光１０１は、撮像部５で撮像され、映像情報１０２に変換される。ここで光学レンズ部４と撮像部５は、映像信号１０２が適正な露出となるように制御部６により制御される。焦点距離検出部７は、被写体を合焦させる動作において、光学レンズ部４におけるレンズ位置情報１０３により、被写体から光学レンズ４までの焦点距離情報１０４を検出する。
【００１５】
被写体照度検出部８は、撮像部５より得られた映像情報１０２により、被写体照度情報１０５を検出する。また、映像動き検出部９は、撮像部５より得られた映像情報１０２により、映像動き情報１０６を検出する。撮像装置動き検出部１０は、例えばジャイロセンサなどの外部センサーを、図３に示すように被写体１３と光学レンズ部１４を結ぶ光学レンズ光軸方向に対して垂直方向に配置して、Ｘ軸検知ジャイロセンサー１６とＹ軸方向検知ジャイロ１７により、撮影時の手振れなどの振動情報の検出を行うものであるが、この振動情報を利用して、例えば、図４に示すように、Ｘ軸方向振動ベクトル情報１８とＹ軸方向振動ベクトル情報１９の合成ベクトル情報である振動ベクトル情報２０が一定方向に予め定められた時間だけ継続した場合に、撮像装置の移動が発生したと判断することによって、撮像装置動き情報１０７を検出する。
【００１６】
照明制御部１２は、これら焦点距離情報１０４と被写体照度情報１０５と映像動き情報１０６と撮像装置動き情報１０７をもとに、図５に示すアルゴリズムによって、照明部の点灯の判断を行い、照明制御信号１０８を提供する。照明部１１は照明制御信号１０８に応じて自動で点灯を行う。
【００１７】
図５において、被写体照度情報Lobj、Lobj-1は、図２に示した被写体照度信号１０５であり、焦点距離情報Dobjは、図２に示した焦点距離情報１０４である。また、Lobjは現在の被写体照度情報であり、Lobj-1は予め定めた時間だけ過去の被写体照度情報である。
【００１８】
図５に示したアルゴリズムにおいて、まず、ST1において、現在の被写体照度に応じた判断を行う。Lobj<L0がNOの場合、つまり照度が高い場合は、照明部１１の点灯は行わない。一方、Lobj<L0がYESの場合、つまり照度が低い場合は、次のST2の焦点距離情報Dobjに応じた判断を行う。
【００１９】
ST2では、Dobj<D0がNOの場合、つまり被写体と撮像装置との距離が予め定めた距離以上である場合は、被写体から反射した照明部１１の光が撮像装置に影響を及ぼすことがないため、照明部１１の点灯を行う。一方、Dobj<D0がYESの場合、つまり被写体と撮像装置との距離が予め定めた距離以内である場合は、次のST3の被写体照度の変化による判断を行う。
【００２０】
ST3では、現在と過去との被写体照度の変化に応じた判断を行う。|Lobj-Lobj-1|>L1がNOの場合、つまり被写体照度の変化が予め定めた値以下の場合は、被写体照度の変化が急激でなく、かつ照明部１１の点灯条件を満たしているため、照明部１１の点灯を行う。一方、|Lobj-Lobj-1|>L1がYESの場合、つまり被写体照度の変化が予め定めた値以上の場合は、被写体照度の変化が急激であることから、撮影条件を特定するため、次のST4の撮像装置動き情報Mdevによる判断を行う。
【００２１】
ST4では、Mdev>M0がYESの場合つまり撮像装置の動きがあると判断された場合は、撮影条件として、撮影者の意図に応じた撮像装置の移動が行われ、かつその移動に応じた照明部１１の点灯条件が満たしていることが想定されるため、照明部１１の点灯を行う。一方、Mdev>M0がNOの場合つまり撮像装置の動きがないと判断された場合は、さらに撮影時の条件を特定するため、次のST5の映像動き情報Mimgによる判断を行う。
【００２２】
ST5では、Mimg>M1がNOの場合つまり撮像部５で撮像された映像の動きがないと判断された場合は、撮影時の条件として、撮像装置及び被写体が共に固定されている状態であることが想定されるため、照明部１１の点灯を行う。一方、Mimg>M1がYESの場合つまり撮像部５で撮像された映像の動きがあると判断された場合は、撮像装置が固定されているにもかかわらず、撮影者の意図に反して被写体を遮る非被写体が照度変化を起こしていることが想定されるため、照明部１１の点灯は行わない。
【００２３】
以上のように実施の形態１においては、焦点距離検出部が検出した焦点距離情報と、被写体照度検出部が検出した被写体照度情報と、被写体動き検出部が検出した被写体動き検出情報と、撮像装置動き検出部が検出した撮像装置動き検出情報を用いて照明部の点灯を制御することにより、撮りたい被写体を遮る非被写体を、映像情報の動き情報と、撮像装置の動き情報によって特定することが可能となり、自動照明制御における点灯時の誤動作防止することができる。
【産業上の利用可能性】
【００２４】
本発明にかかる撮像装置は、撮りたい被写体を遮る非被写体を、映像情報の動き情報と、撮像装置の動き情報によって特定することが可能な機能を有し、たとえば、撮影者の意図にあった照明の自動点灯制御を行うことが可能な撮像装置として有用である。
【図面の簡単な説明】
【００２５】
【図１】本発明の実施の形態における撮像装置を示す斜視図
【図２】本発明の実施の形態における撮像装置の詳細な構成を示すブロック図
【図３】本発明の実施の形態における撮像装置の動きを検出する外部センサーの配置を示す図
【図４】本発明の実施の形態における撮像装置の動きを判断するための振動ベクトル情報を示す図
【図５】本発明の実施の形態における照明部の点灯時のアルゴリズムの説明するための処理フロー図
【符号の説明】
【００２６】
１  光学レンズ部
２  照明部
３  表示部
４  光学レンズ部
５  撮像部
６  撮像制御部
７  焦点距離検出部
８  被写体照度検出部
９  映像動き検出部
１０  撮像装置動き検出部
１１  照明部
１２  照明制御部
１０１  被写体光
１０２  映像情報
１０３  レンズ位置情報
１０４  焦点距離情報
１０５  被写体照度情報
１０６  映像動き情報
１０７  撮像装置動き情報
１０８  照明制御信号
【図１】
2010206434.tif 000003
【図２】
2010206434.tif 000004
【図３】
2010206434.tif 000005
【図４】
2010206434.tif 000006
【図５】
2010206434.tif 000007